(57)【要約】【課題】クロノグラフが、少ない単純な構成部材を有していて、僅かな構成スペースを必要とし、高い機能安全性を有しているようにする。【解決手段】連行針機構が、秒連行針および分連行針のための共通の作動エレメントを有しており、該作動エレメントによって、つめ１８が、分連行針ホイール３０の全周に均一に分配されて配置された係止切欠き３４のうちの１つの係止切欠き３４に係止可能にかつ係止解除可能に制御可能であり、分連行針ホイール３０に分連行針の分連行針管が結合されており、係止切欠き３４の数が、１回転あたりの分クロノグラフ針のステップの回数に相当しているようにした。【選択図】図１
2005300541.tif 000002
【特許請求の範囲】
【請求項１】
時計機構を備えたクロノグラフであって、当該クロノグラフによって、秒クロノグラフ針と、特に１回転あたり３０ステップの回数で分クロノグラフ針とが回動可能に駆動可能であり、秒クロノグラフ針と分クロノグラフ針とを停止させならびに秒連行針と分連行針との連行針機構を運転開始させるための制御装置が設けられており、連行針機構が、秒連行針と分連行針とを始動させかつ停止させるための作動エレメントを有している形式のものにおいて、連行針機構が、秒連行針および分連行針のための共通の作動エレメントを有しており、該作動エレメントによって、つめ（１８）が、分連行針ホイール（３０）の全周に均一に分配されて配置された係止切欠き（３４）のうちの１つの係止切欠き（３４）に係止可能にかつ係止解除可能に制御可能であり、分連行針ホイール（３０）に分連行針の分連行針管が結合されており、係止切欠き（３４）の数が、１回転あたりの分クロノグラフ針のステップの回数に相当していることを特徴とする、クロノグラフ。
【請求項２】
分連行針ホイール（３０）が、分連行針ハートカム用レバー（２８）を介して分連行針ハートカム（３２）に連結可能であり、該分連行針ハートカム（３２）が、分クロノグラフ針の針軸に相対回動不能に結合されている、請求項１記載のクロノグラフ。
【請求項３】
分連行針ハートカム（３２）が、分クロノグラフ針の針軸を支持する分計ホイールに固く結合されている、請求項２記載のクロノグラフ。
【請求項４】
分連行針ホイール（３０）と分連行針ハートカム（３２）とが、共通の回動軸線（２６）を中心として回動可能に配置されている、請求項１から３までのいずれか１項記載のクロノグラフ。
【請求項５】
分連行針ハートカム用レバー（２８）が、その一方の端部で分連行針ホイール（３０）に回動軸線（２６）に対して平行な軸線（２９）を中心として旋回可能に支承されていて、他方の端部で所定のばね力によって分連行針ハートカム（３２）に当て付けられるように負荷されている、請求項４記載のクロノグラフ。
【請求項６】
分連行針ハートカム用レバー（２８）が、分連行針ホイール（３０）に固定されたばねエレメント（３３）によって分連行針ハートカム（３２）に対して負荷されている、請求項５記載のクロノグラフ。
【請求項７】
分連行針ハートカム用レバー（２８）が、作動エレメントにより操作可能な連結解除装置によって分連行針ハートカム（３２）から係合解除可能である、請求項２から６までのいずれか１項記載のクロノグラフ。
【請求項８】
連結解除装置が、分連行針ホイール（３０）に対して同軸的に回動可能に配置された絶縁ホイール（２５）と、回動軸線（２６）に対して平行な絶縁軸線（２０）を中心として、規定された旋回角だけ連結解除位置と連結位置との間で旋回可能に駆動可能な絶縁レバー（２１）とを有しており、該絶縁レバー（２１）によって、絶縁ホイール（２５）が、規定された回動角だけ回動可能に駆動可能であり、絶縁ホイール（２５）が、ストッパ（２７）を有しており、該ストッパ（２７）によって、分連行針ハートカム用レバー（２８）が、分連行針ハートカム（３２）から連結解除可能に負荷可能である、請求項７記載のクロノグラフ。
【請求項９】
絶縁ホイール（２５）が、半径方向で全周にわたって設けられた歯列、特に鋸刃歯列（２４）を備えており、絶縁レバー（２１）が、相応の対応歯列（２３）を備えており、該対応歯列（２３）が、連結位置で絶縁ホイール（２５）の歯列に噛み合うようになっている、請求項８記載のクロノグラフ。
【請求項１０】
連結解除装置が、制御レバー（９）によって操作可能であり、該制御レバー（９）が、作動エレメントによって連結位置から連結解除位置に所定のばね力に抗して制御レバー軸線（８）を中心として旋回可能に駆動可能である、請求項７から９までのいずれか１項記載のクロノグラフ。
【請求項１１】
絶縁レバー（２１）が、制御レバー（９）によってばね力に抗して旋回可能に負荷可能である、請求項１０記載のクロノグラフ。
【請求項１２】
制御レバー（９）が、ストッパ（１６）を有しており、該ストッパ（１６）によって、つめ（１８）が、制御レバー（９）の連結位置で係止切欠き（３４）から係止解除可能に負荷されている、請求項１０または１１記載のクロノグラフ。
【請求項１３】
つめ（１８）が、半径方向で分連行針ホイール（３０）に対してプレロードがかけられたばねアーム（１７）の自由端部に配置されている、請求項１から１２までのいずれか１項記載のクロノグラフ。
【請求項１４】
制御レバー（９）が、その連結位置でストッパ、特に当接偏心体（１２）に当て付けられている、請求項１０から１３までのいずれか１項記載のクロノグラフ。
【請求項１５】
共通の作動エレメントが、均一に半径方向で全周にわたって分配されたピラー（２）を備えた回動可能に駆動可能なピラーホイール（１）である、請求項１から１４までのいずれか１項記載のクロノグラフ。
【請求項１６】
制御レバー（９）が、ピラー（２）によって連結位置から連結解除位置に旋回可能に駆動可能である、請求項１５記載のクロノグラフ。
【請求項１７】
ピラーホイール（１）が、均一に分配されて半径方向で全周にわたって配置された、ピラー（２）の数の２倍の数の切換歯（３）を備えて形成されており、該切換歯（３）を介して、ピラーホイール（１）が回動可能に駆動可能である、請求項１５または１６記載のクロノグラフ。
【請求項１８】
係止ばね（６）が、切換歯（３）の間の歯溝（４）内にばね弾性的に係止可能である、請求項１７記載のクロノグラフ。
【発明の詳細な説明】
【技術分野】
【０００１】
本発明は、時計機構を備えたクロノグラフであって、当該クロノグラフによって、秒クロノグラフ針と、特に１回転あたり３０ステップの回数で分クロノグラフ針とが回動可能に駆動可能であり、秒クロノグラフ針と分クロノグラフ針とを停止させならびに秒連行針と分連行針との連行針機構を運転開始させるための制御装置が設けられており、連行針機構が、秒連行針と分連行針とを始動させかつ停止させるための作動エレメントを有している形式のものに関する。
【背景技術】
【０００２】
このような形式のクロノグラフでは、分連行針を拘束するために、分連行針機構の、精巧な歯列を備えたホイールを、両側で作用する２つのトングの間に挟み込むことが知られている。この構成は多くの構成部材を要求し、大きな構成スペースを必要とする。
【発明の開示】
【発明が解決しようとする課題】
【０００３】
したがって、本発明の課題は、冒頭で述べた形式のクロノグラフを改良して、クロノグラフが、少ない単純な構成部材を有していて、僅かな構成スペースを必要とし、高い機能安全性を有しているようにすることである。
【課題を解決するための手段】
【０００４】
この課題を解決するために本発明の構成では、連行針機構が、秒連行針および分連行針のための共通の作動エレメントを有しており、該作動エレメントによって、つめが、分連行針ホイールの全周に均一に分配されて配置された係止切欠きのうちの１つの係止切欠きに係止可能にかつ係止解除可能に制御可能であり、分連行針ホイールに分連行針の分連行針管が結合されており、係止切欠きの数が、１回転あたりの分クロノグラフ針のステップの回数に相当しているようにした。
【発明の効果】
【０００５】
秒連行針および分連行針のための共通の作動エレメントは、秒連行針および分連行針の始動および停止が同時に行われることを確保している。
【０００６】
係止切欠き内に係止するつめによって、分連行針ホイールが拘束されるだけでなく、同時に正確にその分位置に位置決めされ、これによって、とどめられた中間時間の正確な読出しも保証されている。
【０００７】
少ない所要の構成部材によって、機能安全性だけでなく、僅かな構成スペース要求も得られる。
【０００８】
分連行針と分クロノグラフ針との簡単な同期化のためには、分連行針ホイールが、分連行針ハートカム用レバーを介して分連行針ハートカムに連結可能であってよく、該分連行針ハートカムが、分クロノグラフ針の針軸に相対回動不能に結合されている。
【０００９】
この場合、特にコンパクトな構成は、分連行針ハートカムが、分クロノグラフ針の針軸を支持する分計ホイールに固く結合されている場合に達成される。
【００１０】
分連行針ホイールと分連行針ハートカムとが、共通の回動軸線を中心として回動可能に配置されていると、特に構成スペースが節約される。
【００１１】
分連行針ホイールと連行針ハートカムとの簡単な連結および分連行針ハートカムに対する分連行針ハートカム用レバーの強制的に正しい対応配置のためには、分連行針ハートカム用レバーが、その一方の端部で分連行針ホイールに回動軸線に対して平行な軸線を中心として旋回可能に支承されていてよく、他方の端部で所定のばね力によって分連行針ハートカムに当て付けられるように負荷されていてよい。
【００１２】
この場合、分連行針ハートカム用レバーが、分連行針ホイールに固定されたばねエレメントによって分連行針ハートカムに対して負荷されていると、ばねエレメントも常に分連行針ハートカム用レバーに対する正確な位置で連行される。
【００１３】
分連行針を停止させるためには、分連行針ハートカム用レバーが、作動エレメントにより操作可能な連結解除装置によって分連行針ハートカムから係合解除可能であってよい。
【００１４】
連結解除装置が、分連行針ホイールに対して同軸的に回動可能に配置された絶縁ホイールと、回動軸線に対して平行な絶縁軸線を中心として、規定された旋回角だけ連結解除位置と連結位置との間で旋回可能に駆動可能な絶縁レバーとを有しており、該絶縁レバーによって、絶縁ホイールが、規定された回動角だけ回動可能に駆動可能であり、絶縁ホイールが、ストッパを有しており、該ストッパによって、分連行針ハートカム用レバーが、分連行針ハートカムから連結解除可能に負荷可能であると、連結解除装置が、単純な構成部材を備えたコンパクトな構造を有していて、容易に操作可能となる。絶縁レバーによる確実な駆動のためには、絶縁ホイールが、半径方向で全周にわたって設けられた歯列、特に鋸刃歯列を備えていてよく、絶縁レバーが、相応の対応歯列を備えていてよく、該対応歯列が、連結位置で絶縁ホイールの歯列に噛み合うようになっている。
【００１５】
簡単な形式では、連結解除装置が、制御レバーによって操作可能であり、該制御レバーが、作動エレメントによって連結位置から連結解除位置に所定のばね力に抗して制御レバー軸線を中心として旋回可能に駆動可能であり、絶縁レバーが、制御レバーによってばね力に抗して旋回可能に負荷可能であると有利である。
【００１６】
多機能にかつひいては部材および構成スペースを節約して、制御レバーが、ストッパを有していてよく、該ストッパによって、つめが、制御レバーの連結位置で係止切欠きから係止解除可能に負荷されている。
【００１７】
つめが、半径方向で分連行針ホイールに対してプレロードがかけられたばねアームの自由端部に配置されていると、構成部材を節約した構造が得られる。
【００１８】
制御レバーの位置をその連結解除位置に規定するためには、制御レバーが、その連結位置でストッパ、特に当接偏心体に当て付けられていてよい。
【００１９】
共通の作動エレメントが、均一に半径方向で全周にわたって分配されたピラーを備えた回動可能に駆動可能なピラーホイールであると、秒連行針だけでなく分連行針の簡単なかつ確実な駆動が達成される。
【００２０】
この場合、制御レバーが、ピラーによって連結位置から連結解除位置に旋回可能に駆動可能であってよい。
【００２１】
ピラーホイールが、均一に分配されて半径方向で全周にわたって配置された、ピラーの数の２倍の数の切換歯を備えて形成されており、該切換歯を介して、ピラーホイールが回動可能に駆動可能であると有利である。この場合、ピラーホイールの位置を固定するためには、係止ばねが、切換歯の間の歯溝内にばね弾性的に係止可能であってよい。
【発明を実施するための最良の形態】
【００２２】
以下に、本発明を実施するための最良の形態を図面につき詳しく説明する。
【００２３】
一般的に割剣機構と呼ばれる連行針機構の図示の部分には、軸方向に突出した、全周にわたって均一に分配されて配置された８個のピラー２と、全周に均一に分配されて配置された１６個の切換歯３とを備えた、プッシュボタン（図示せず）によって回動可能に操作可能なピラーホイール１が示してある。切換歯３の間の歯溝４の１つには、係止ばね６のつめ５がばね弾性的に係止されている。
【００２４】
制御レバー軸線８を中心として旋回可能に支承された制御レバー９のフィンガ７は、ピラー２の間の溝１０内に係合し、時計回り方向でのピラーホイール１の回動によってランプ状に１つの溝１０から持ち上げられ、次の溝１０内に再び落下するまで、ピラー２の外側の周面で滑動する。
【００２５】
１つの溝１０からのつめの持上りによって、制御レバー９が連結位置（図２参照）から連結解除位置（図１参照）に旋回させられる。
【００２６】
この連結解除位置の位置決めのためには、制御レバー９が当接アーム１１で当接偏心体１２に接触し、一体に制御レバー９に配置された、ピン１３に支持されたばねアーム１４によって当接偏心体１２に対してばね負荷される。
【００２７】
さらに、制御レバー９は操作アーム１５を有している。この操作アーム１５の自由端領域にはストッパ１６が位置している。このストッパ１６によって、一方の端部で固定的に配置されたばねアーム１７が変位可能に負荷可能となる。このばねアーム１７はその自由端部につめ１８を有している。
【００２８】
さらに、制御レバー９はその操作アーム１５に延長部１９を有している。この延長部１９によって、連結解除位置から連結位置への制御レバー９の旋回時に、制御レバー軸線８に対して平行な絶縁軸線２０を中心として旋回可能な絶縁レバー２１が、ばね２２のばね力に抗して連結位置（図１参照）から連結解除位置（図２参照）に旋回可能に負荷可能となる。
【００２９】
絶縁レバー２１は、絶縁軸線２０に対して半径方向に間隔を置いて配置された領域に対応歯列２３の３個の歯を有している。これらの歯は、連結解除位置から連結位置への絶縁レバー２１の旋回時に絶縁ホイール２５の、半径方向で全周にわたって設けられた鋸刃歯列２４に噛み合い、絶縁ホイール２５を、規定された回動角だけ反時計回り方向に回動させる。
【００３０】
絶縁ホイール２５は、制御レバー軸線８に対して平行な回動軸線２６を中心として回動可能に支承されていて、ストッパ２７を有している。このストッパ２７によって、分連行針ハートカム用レバー２８が絶縁ホイール２５の回動時に回動軸線２６に対して平行な軸線２９を中心として旋回可能に負荷可能となる。
【００３１】
分連行針ハートカム用レバー２８はその一方の端部で軸線２９を中心として旋回可能に分連行針ホイール３０に支承されている。この分連行針ホイール３０も同じく回動軸線２６を中心として回動可能に支承されている。分連行針ハートカム用レバー２８はその他方の端領域で分連行針ハートカム３２の、半径方向で全周にわたって延びるカージオイド３１を負荷する。分連行針ハートカム３２も同じく回動軸線２６を中心として回動可能にかつクロノグラフの、分クロノグラフ針の針軸を支持する分計ホイール（図示せず）に固く結合されている。
【００３２】
一方の端部で分連行針ホイール３０に固定されたばねエレメント３３の、プレロードがかけられたばねアームによって、分連行針ハートカム用レバー２８が分連行針ハートカム３２のカージオイド３１に対して負荷されている。分連行針ホイール３０は、半径方向で全周にわたって延びる周面に均一に分配されて３０個の係止切欠き３４を有している。これらの係止切欠き３４はその形状においてつめ１８の形状に相当している。係止切欠き３４内にはつめ１８が係止可能である。
【００３３】
クロノグラフは、秒クロノグラフ針（図示せず）と分クロノグラフ針とを有している。この場合、この分クロノグラフ針は１回転あたり３０ステップで回動可能に駆動可能である。秒クロノグラフ針には秒連行針が対応配置されており、分クロノグラフ針には、同じく１回転あたり３０ステップで歩進可能な分連行針が対応配置されている。
【００３４】
両連行針の連行針機構は、共通の作動エレメントとしてのピラーホイール１を有している。
【００３５】
秒・分クロノグラフ針の走行時に、連行する秒・分連行針を停止させたい場合には、ピラーホイール１の回動が切換歯３の１ピッチだけ行われる。これによって、フィンガ７が２つのピラー２の間の１つの溝内に落下する。この場合、反時計回り方向での制御レバー９の旋回も、当接偏心体１２に当て付けられるまで行われる。
【００３６】
いま、ストッパ１６が変位されてばねアーム１７をもはや保持していないので、このばねアーム１７がつめ１８を分連行針ホイール３０の１つの係止切欠き３４内に運動させ、ばねアーム１７のさらなる回動運動ひいては分連行針の回動運動も遮断する。
【００３７】
制御レバー９の旋回運動によって、ばね２２の作用下で同時に時計回り方向での絶縁レバー２１の旋回運動が生ぜしめられ、これによって、この絶縁レバー２１の対応歯列２３が絶縁ホイール２５の鋸刃歯列２４に噛み合い、絶縁ホイール２５を、規定された角度だけ回動させる。この場合、ストッパ２７が分連行針ハートカム用レバー２８に当て付けられ、この分連行針ハートカム用レバー２８をばねエレメント３３のばね力に抗して分連行針ハートカム３２から押し離し、これによって、カージオイド３１ひいてはカージオイド３１に分針ホイールを介して結合された分クロノグラフ針も妨害されずに引き続き回動することができる。
【００３８】
いま、分連行針を再び分クロノグラフ針と同期的に引き続き走行させたい場合には、ピラーホイール１が切換歯３の歯ピッチ１つぶんだけ引き続き回動させられる。これによって、２つのピラー２の間の溝からのフィンガ７のランプ状の持上りと、１つのピラー２の周面の外面への載置とが行われる。これによって、同時に制御レバー９が時計回り方向に旋回させられる。これによって、ストッパ１６を介してばねアーム１７が旋回させられ、このばねアーム１７のつめ１８が係止切欠き３４から押し離される。
【００３９】
さらに、制御レバー９の延長部１９による絶縁レバー２１のストッパ３５の負荷によって、反時計回り方向での絶縁レバー２１の旋回が行われる。これによって、この絶縁レバー２１の対応歯列２３が絶縁ホイール２５の鋸刃歯列２４から噛合い解除され、これによって、ばねエレメント３３が分連行針ハートカム用レバーを再び分連行針ハートカム３２のカージオイド３１に当て付ける。この場合、分連行針ハートカム３２は分連行針ハートカム用レバー２８の半径方向の負荷下で、この分連行針ハートカム用レバー２８が分連行針ハートカム３２の半径方向で最小の延在長さに接触するまで回動させられ、これによって、分クロノグラフ針と分連行針とが互いに重なりかつ同期的に引き続き回動させられる。
【００４０】
絶縁ホイール２５が、規定された旋回角だけしかストッパ２７で分連行針ハートカム用レバー２８から離れる方向に運動することができないように、この運動は分連行針ホイール３０のストッパ３６によって制限されている。
【図面の簡単な説明】
【００４１】
【図１】連行針機構の、分連行針を操作する部分を停止位置で示す図である。
【図２】図１に示した連行針機構の、分連行針を操作する部分を連行位置で示す図である。
【符号の説明】
【００４２】
１  ピラーホイール、  ２  ピラー、  ３  切換歯、  ４  歯溝、  ５  つめ、  ６  係止ばね、  ７  フィンガ、  ８  制御レバー軸線、  ９  制御レバー、  １０  溝、  １１  当接アーム、  １２  当接偏心体、  １３  ピン、  １４  ばねアーム、  １５  操作アーム、  １６  ストッパ、  １７  ばねアーム、  １８  つめ、  １９  延長部、  ２０  絶縁軸線、  ２１  絶縁レバー、  ２２  ばね、  ２３  対応歯列、  ２４  鋸刃歯列、  ２５  絶縁ホイール、  ２６  回動軸線、  ２７  ストッパ、  ２８  分連行針ハートカム用レバー、  ２９  軸線、  ３０  分連行針ホイール、  ３１  カージオイド、  ３２  分連行針ハートカム、  ３３  ばねエレメント、  ３４  係止切欠き、  ３５  ストッパ、  ３６  ストッパ
【図１】
2005300541.tif 000003
【図２】
2005300541.tif 000004